(57)【特許請求の範囲】
【請求項１】
側壁と、前記側壁に設けられた取水口とを有し、自由表面を有する水を貯留する水槽と、
前記取水口に連結され、水平方向に延びる水平管と、
前記水平管からの水が流入する水力機械と、
前記取水口の上方であって、前記側壁に回動可能に取り付けられた上板と、
前記上板を回動させる回動駆動部と、
前記水槽に貯留された水の前記自由表面の位置を検知する水位検知装置と、
前記水位検知装置により検知された前記自由表面の位置に基づいて、前記回動駆動部を制御する制御装置と、を備え、
前記上板は、前記側壁から前記水槽の内側に延び、前記水槽の内側に向かって上方へ傾斜するとともに、後端部から先端部にわたって水平方向に対して一定の角度で傾斜し、
前記制御装置は、前記自由表面が所定の位置よりも低い場合、前記角度が小さくなるように前記上板を回動させ、前記自由表面が所定の位置よりも高い場合、前記角度が大きくなるように前記上板を回動させる、ように前記回動駆動部を制御する、水力機械設備。
【請求項２】
側壁と、前記側壁に設けられた取水口とを有し、自由表面を有する水を貯留する水槽と、
前記取水口に連結され、水平方向に延びる水平管と、
前記水平管からの水が流入する水力機械と、
前記取水口の上方であって、前記側壁に昇降可能に取り付けられた上板と、
前記水槽内に昇降可能に設けられ、前記取水口へ向かう水の流路の幅を画定する一対の仕切り板と、
前記上板および前記仕切り板を昇降させて、前記上板および前記仕切り板の上下方向の位置を調整する昇降駆動部と、を備え、
前記上板は、前記側壁から前記水槽の内側に延び、前記水槽の内側に向かって上方へ傾斜するとともに、後端部から先端部にわたって一定の角度で傾斜している、水力機械設備。
【発明の詳細な説明】
【技術分野】
【０００１】
本発明の実施の形態は、水力機械設備に関する。
【背景技術】
【０００２】
水車やポンプに代表される水力機械は、取水した水を作動流体としている。水力発電設備や潮汐発電設備などの水力機械設備の多くは、効率良く取水するために水槽（上池または貯水池）を有しており、この水槽に、取水量に対して十分な量の水を貯留している。しかしながら、季節の違いによる雨量の変動や潮の干満により、水槽の水位が変動する場合がある。このため、水槽に設けられた取水口から水面（以下、自由表面と記す）までの距離（高さ）も一定ではなく変動し得る。
【０００３】
ところで、図１５に示すように、水槽１００の取水口１０１の周囲の水は、矢印Ｆ２のように、取水口１０１の上方の水を巻き込んで流れている。このとき、取水口１０１から自由表面１０２までの距離によっては、取水口１０１の近傍の自由表面１０２に、吸込み渦１０３と呼ばれる渦が発生するおそれがある。この吸込み渦１０３は、取水口１０１から自由表面１０２までの距離が短くなったときに自由表面１０２近傍に発生し、水槽１００の水位の低下と共に発達する傾向がある。吸込み渦１０３は、空気を巻き込んだ大規模な渦芯を形成する場合があり、この場合、空気を巻き込んだ渦芯が水平管１０４内に入り、渦芯が水力機械１０５へ達すると、水力機械の性能低下、振動および騒音といった問題を引き起こす可能性がある。
【先行技術文献】
【特許文献】
【０００４】
【特許文献１】特開２００２−１５５８９８号公報
【特許文献２】特開２０１０−９０８２２号公報
【特許文献３】特開２０１４−１３４１４２号公報
【特許文献４】特開２０１４−２０６１０５号公報
【発明の概要】
【発明が解決しようとする課題】
【０００５】
このような吸込み渦は、地球の自転の影響（コリオリ力）や水槽が設けられた地形の影響等から、完全に発生を防止することは困難である。このため、吸込み渦の発生を抑制するとともに、吸込み渦が発生した場合であっても吸込み渦の発達を抑制することが望まれている。
【０００６】
本発明は、このような点を考慮してなされたものであり、吸込み渦の発生を抑制するとともに、発生した吸込み渦の発達を抑制できる水力機械設備を提供することである。
【課題を解決するための手段】
【０００７】
実施の形態による水力機械設備は、自由表面を有する水を貯留する水槽であって、側壁と、側壁に設けられた取水口とを有する水槽と、取水口に連結され、水平方向に延びる水平管と、水平管からの水が流入する水力機械と、取水口の上方であって、側壁に取り付けられた上板と、を備えている。このうち、上板は、側壁から水槽の内側に延びるとともに、水槽の内側に向かって上方へ傾斜している。
【発明の効果】
【０００８】
本発明によれば、吸込み渦の発生を抑制するとともに、発生した吸込み渦の発達を抑制できる。
【図面の簡単な説明】
【０００９】
【図１】図１は、第１の実施の形態における水力機械設備の全体構成を示す断面図である。
【図２】図２は、図１の水力機械設備を示す平面図である。
【図３】図３は、第２の実施の形態における水力機械設備の全体構成を示す断面図である。
【図４】図４は、図３の昇降駆動部の動作を説明する図である。
【図５】図５は、第３の実施の形態における水力機械設備の全体構成を示す断面図である。
【図６】図６は、図５の回動駆動部の動作を説明する図である。
【図７】図７は、第４の実施の形態における水力機械設備の全体構成を示す断面図である。
【図８】図８は、図７の水力機械設備を示す平面図である。
【図９】図９は、図７の変形例を示す断面図である。
【図１０】図１０は、図９の昇降駆動部の動作を説明する図である。
【図１１】図１１は、図７の変形例を示す断面図である。
【図１２】図１２は、図１１の回動駆動部の動作を説明する図である。
【図１３】図１３は、第５の実施の形態における水力機械設備の全体構成を示す断面図である。
【図１４】図１４は、図１３の昇降駆動部の動作を説明する図である。
【図１５】図１５は、一般的な水力機械設備の全体構成を示す断面図である。
【発明を実施するための最良の形態】
【００１０】
以下、図面を参照して本発明の実施の形態における水力機械設備について説明する。
【００１１】
（第１の実施の形態）
図１および図２を用いて、第１の実施の形態における水力機械設備について説明する。
【００１２】
図１に示すように、水力機械設備１は、自由表面２を有する水を貯留する水槽３（上池、下池または貯水池とも言う）と、水槽３から水平方向に延びる水平管４と、水平管４からの水が流入する水力機械５と、を備えている。このうち水槽３は、側壁６ａと、側壁６ａの下部に設けられた取水口７と、を有している。より具体的には、水槽３は、図２に示すように、矩形状の平面形状を有するように４つの側壁（このうち３つの側壁６ａ〜６ｃを図示）を有しており、そのうちの１つの側壁６ａに取水口７が設けられている。この水槽３は、水力機械５の取水量に対して十分な量の水を貯水可能に構成されており、水力機械５の取水効率の向上を図っている。
【００１３】
水平管４の一端は、水槽３の取水口７に連結されており、図示しない他端は、水力機械５に向かって延びている。この水平管４内を、取水口７から取水された水が通過することにより、水は水槽３から水平な方向に取水される。なお、水平管４の他端は、水力機械５に連結されていてもよく、あるいは、水平管４の他端と水力機械５との間に任意の形状を有する他の管路が介在されていてもよい。
【００１４】
水力機械５は、水車またはポンプ水車等である。例えば、水力機械５が水車運転を行う場合、水槽３から水平管４を通って流入した水によって、図示しないランナが回転駆動される。このことにより、ランナに連結された図示しない発電電動機が駆動され、発電が行われる。一方、水力機械５がポンプ運転を行う場合、発電電動機がランナを回転駆動することにより、水槽３内の水を、水平管４を介して吸い上げて揚水する。また、潮汐発電の場合には、外海と貯水池（湾とも言う）との間に水力機械５が設けられており、満潮時には、外海と湾内とを仕切る堰を開放し、水力機械５を介して海水を貯水池に導入し、干潮時には、貯水池から、水力機械５を介して海水を外海に導入し、発電を行っている。
【００１５】
図１および図２に示すように、取水口７の上方であって、水槽３の側壁６ａに上板２０が取り付けられている。この上板２０は、側壁６ａから水槽３の内側に延びるとともに、水槽３の内側に向かって上方へ傾斜している。上板２０は、先端部２１と、側壁６ａに取り付けられた後端部２２と、を含んでいる。上板２０は、側壁６ａに埋め込まれるように取り付けられていてもよいが、これに限られることはなく、取り付け構造は任意である。なお、図２に示すように、上板２０は、水槽３の幅方向全域、すなわち、側壁６ｂから側壁６ｃにわたって設けられていることが好適である。このことにより、上板２０と、側壁６ｂまたは側壁６ｃとの間に水が流れる流路が形成されることを抑制し、取水口７から自由表面２までの距離が短くなることを抑制している。
【００１６】
なお、上板２０の傾斜角度は、取水口７から自由表面２までの距離を効果的に増大させるとともに、取水口７に向かう水の流れに生じ得る損失を抑制することが可能な角度であることが好適である。上板２０の水平方向からの傾斜角度θは、特に限られることはないが、例えば、６０°以下が好適であり、より好適には４５°以下である。
【００１７】
次に、このような構成からなる本実施の形態の作用について、図１および図２を用いて説明する。図１および図２には、本実施の形態における水力機械設備１において、水力機械５の運転が行われている間の水槽３内および取水口７の周囲の水の流れが矢印Ｆ１で示されている。
【００１８】
本実施の形態においては、図１および図２に示すように、取水口７の上方であって水槽３の側壁６ａに上板２０が取り付けられており、上板２０の全体が、水槽３に貯留された水に浸漬されている。このとき、水槽３内の水は、図１に示す矢印Ｆ１のように、上板２０の下方を通って取水口７に向かう。このことにより、取水口７から自由表面２までの距離を長くすることができ、上板２０の先端部２１の近傍で自由表面２に吸込み渦８が発生することを抑制できる。
【００１９】
水槽３内の水位が低下すると、上板２０の先端部２１の近傍で自由表面２に吸込み渦８が発生し得る。しかしながら、取水口７から自由表面２までの距離が長くなっているため、吸込み渦８の発生場所を取水口７から遠ざけることができる。すなわち、図１５に示す水槽１００では、吸込み渦１０３は取水口１０１の近傍に発生し得る。この場合、取水口１０１の圧力が低いことによって、吸込み渦１０３が空気を巻き込んで発達して水平管１０４に達する可能性がある。これに対して、本実施の形態による水槽３では、吸込み渦８は、取水口７の近傍ではなく、上板２０の先端部２１の近傍に発生し得て、取水口７から遠ざけることができる。このことにより、吸込み渦８が発達した場合であっても、吸込み渦８が水平管４に達することを抑制できる。
【００２０】
このように本実施の形態によれば、取水口７の上方であって水槽３の側壁６ａに上板２０が取り付けられており、上板２０が、水槽３に貯留された水に浸漬されている。このことにより、取水口７から自由表面２までの距離を長くすることができる。このため、水槽３内の水位が低下した場合であっても、取水口７から自由表面２を遠ざけることができ、上板２０の先端部２１の近傍で自由表面２に吸込み渦８が発生することを抑制できる。
【００２１】
また、本実施の形態によれば、水槽３内の水位が低下し、上板２０の先端部２１の近傍で自由表面２に吸込み渦８が発生した場合であっても、取水口７から自由表面２までの距離が長くなっているため、吸込み渦８の発生場所を取水口７から遠ざけることができる。このことにより、吸込み渦８が発達した場合であっても、吸込み渦８が水平管４に達することを抑制することができる。
【００２２】
また、本実施の形態によれば、上板２０が水槽３の内側に延びるとともに、水槽３の内側に向かって上方に傾斜している。このことにより、取水口７に向かう水槽３内の水の流路を、水平管４に向かって徐々に絞るように滑らかに形成させることができる。このため、水の流れがスムースになり、水平方向の取水をスムースにすることができる。この結果、水の摩擦損失を低減させることができる。
【００２３】
（第２の実施の形態）
次に、図３および図４を用いて、本発明の第２の実施の形態における水力機械設備について説明する。
【００２４】
図３および図４に示す第２の実施の形態においては、上板が、昇降可能になっており、昇降駆動部が、上板を昇降させて、上板の上下方向の位置を調整する点が主に異なり、他の構成は、図１および図２に示す第１の実施の形態と略同一である。なお、図３および図４において、図１および図２に示す第１の実施の形態と同一部分には同一符号を付して詳細な説明は省略する。
【００２５】
図３および図４に示すように、本実施の形態においては、上板２０が、昇降可能になっている。この上板２０は、側壁６ａに、摺動可能に取り付けられている。すなわち、側壁６ａに水槽３の外側に向かって窪んでいる凹部９が設けられており、上板２０の後端部２２は、この凹部９に収容され、摺動可能に取り付けられている。より詳細には、凹部９内には、上下方向に延びる図示しない一対のガイドレールが設けられており、このガイドレールが、上板２０の昇降を案内する。すなわち、上板２０の後端部２２には、ガイドレールに沿う図示しない一対のガイドが設けられており、これにより、上板２０は、ガイドレールに沿って昇降するようになっている。なお、上板２０の取り付け構造は任意であり、上板２０が側壁６ａの凹部９に収容されていなくてもよい。また、本実施の形態においては、上板２０と側壁６ｂ、６ｃとの間に、微少な隙間が設けられており、上板２０がスムースに昇降可能になっていることが好適である。
【００２６】
水力機械設備１は、上板２０を昇降させて、上板２０の上下方向の位置を調整する昇降駆動部１０を更に備えている。昇降駆動部１０は、例えばクレーンであり、ワイヤ１１を介して上板２０に連結されている。このワイヤ１１を昇降駆動部１０が巻き上げまたは巻き下げることにより、上板２０を上昇または下降させて、上板２０の上下方向の位置を調整することができる。
【００２７】
水力機械設備１は、水槽３に貯留された水の自由表面２の位置を検知する水位検知装置１２を更に備えている。この水位検知装置１２により検出された水位に基づいて、操作者が昇降駆動部１０を操作して、上板２０の上下方向の位置を調整するようにしてもよい。例えば、自由表面２が所定の位置よりも低い場合、上板２０を下降させる。この場合、自由表面２が取水口７に近づくため、吸込み渦８の発生の可能性は高い。このため、吸込み渦８の発生を抑制するために上板２０を自由表面２よりも下降させ、上板２０を水に浸漬させる。一方、自由表面２が所定の位置よりも高い場合、上板２０を上昇させる。この場合、自由表面２が取水口７から遠ざかるため、吸込み渦８の発生の可能性は低い。このため、取水口７に向かう水の流れの損失を低減するために、上板２０を自由表面２よりも上昇させる。なお、水位検知装置１２に図示しない制御装置が接続されていてもよい。この場合、制御装置が水位検知装置１２により検知された自由表面２の位置に基づいて、昇降駆動部１０を制御して上板２０の上下方向の位置を調整するようにしてもよい。
【００２８】
このように本実施の形態によれば、昇降駆動部１０により、上板２０の上下方向の位置を調整することができる。このことにより、自由表面２が所定の位置よりも低い場合、上板２０を自由表面２よりも下降させ、上板２０を水に浸漬させることができる。このため、自由表面２と取水口７とを遠ざけることができ、吸込み渦８の発生を抑制できる。一方、自由表面２が所定の位置よりも高いときには、自由表面２と取水口７とが遠ざけられているため、吸込み渦８の発生の可能性は低い。このことにより、上板２０を自由表面２よりも上昇させて、水の流路を広くすることができる。このため、水の流路の縮小に伴う流速の増速を抑制することができ、流速の増速に伴う摩擦損失の増加を抑制できる。
【００２９】
（第３の実施の形態）
次に、図５および図６を用いて、本発明の第３の実施の形態における水力機械設備について説明する。
【００３０】
図５および図６に示す第３の実施の形態においては、上板が、回動可能になっており、回動駆動部が、上板を回動させて、上板の傾斜角度を調整する点が主に異なり、他の構成は、図１および図２に示す第１の実施の形態と略同一である。なお、図５および図６において、図１および図２に示す第１の実施の形態と同一部分には同一符号を付して詳細な説明は省略する。
【００３１】
図５および図６に示すように、本実施の形態においては、上板２０が、回動可能になっている。この上板２０は、側壁６ａに、回動可能に取り付けられている。すなわち、側壁６ａに、図３と同様な凹部９が設けられており、この凹部９に上板２０の後端部２２を回動可能に支持する支持部１３が設けられている。後端部２２は、この支持部１３に回動可能に取り付けられている。なお、本実施の形態による凹部９は、上板２０全体を収容可能に形成されていることが好適である。このことにより、水槽３の水位が高いときは、上板２０を凹部９に収容させることで、側壁６ａの内面から上板２０が突出することを防止し、当該内面を滑らかにすることができる。なお、上板２０の取り付け構造は任意であり、支持部１３が凹部９に設けられていなくてもよい。また、本実施の形態においては、上板２０と側壁６ｂ、６ｃとの間に、微少な隙間が設けられており、上板２０がスムースに回動可能になっていることが好適である。
【００３２】
水力機械設備１は、上板２０を回動させて、上板２０の傾斜角度を調整する回動駆動部１４を更に備えている。回動駆動部１４は、例えばウインチであり、ワイヤ１５および側壁６ａに設けられた滑車１６を介して上板２０に連結されている。このワイヤ１５を回動駆動部１４が巻き上げまたは巻き下げることにより、上板２０を回動させて、上板２０の傾斜角度を調整することができる。
【００３３】
水力機械設備１は、図３に示す第２の実施の形態と同様に、水位検知装置１２を更に備えている。この水位検知装置１２により検出された水位に基づいて、操作者が回動駆動部１４を操作して、上板２０の水平方向からの傾斜角度θ（図１参照）を調整するようにしてもよい。例えば、自由表面２が所定の位置よりも低い場合、上板２０の水平方向からの傾斜角度θが小さくなるように（図５における反時計回り方向に）上板２０を回動させる。この場合、自由表面２が取水口７に近づくため、吸込み渦８の発生の可能性は高い。このため、吸込み渦８の発生を抑制するために、上板２０を傾斜角度θが小さくなるように回動させ、上板２０を水に浸漬させる。一方、自由表面２が所定の位置よりも高い場合、上板２０の水平方向からの傾斜角度θが大きくなるように（図５における時計回り方向に）上板２０を回動させる。この場合、自由表面２が取水口７から遠ざかるため、吸込み渦８の発生の可能性は低い。このため、取水口７に向かう水の流れの損失を低減するために、上板２０を傾斜角度θが大きくなるように回動させる。なお、水位検知装置１２に図示しない制御装置が接続されていてもよい。この場合、制御装置が水位検知装置１２により検知された自由表面２の位置に基づいて、回動駆動部１４を制御して上板２０の傾斜角度θを調整するようにしてもよい。
【００３４】
このように本実施の形態によれば、回動駆動部１４により、上板２０の傾斜角度θを調整することができる。このことにより、自由表面２が所定の位置よりも低い場合、上板２０の傾斜角度θが小さくなるように上板２０を回動させ、上板２０を水に浸漬させることができる。このため、自由表面２と取水口７とを遠ざけることができ、吸込み渦８の発生を抑制できる。一方、自由表面２が所定の位置よりも高いときには、自由表面２と取水口７とが遠ざけられているため、吸込み渦８の発生の可能性は低い。このことにより、上板２０の傾斜角度θが大きくなるように上板２０を回動させて、水の流路を広くすることができる。このため、水の流路の縮小に伴う流速の増速を抑制することができ、流速の増速に伴う摩擦損失の増加を抑制できる。
【００３５】
（第４の実施の形態）
次に、図７および図８を用いて、本発明の第４の実施の形態における水力機械設備について説明する。
【００３６】
図７および図８に示す第４の実施の形態においては、取水口へ向かう水の流路の幅を画定する一対の仕切り板が水槽内に設けられている点が主に異なり、他の構成は、図１および図２に示す第１の実施の形態と略同一である。なお、図７および図８において、図１および図２に示す第１の実施の形態と同一部分には同一符号を付して詳細な説明は省略する。
【００３７】
図７および図８に示すように、本実施の形態においては、取水口７へ向かう水の流路の幅を画定する一対の仕切り板３０が水槽３内に設けられている。この仕切り板３０は、取水口７の両側に設けられており、上板２０、側壁６ａおよび水槽３の底面に取り付けられている。より詳細には、図８に示すように、本実施の形態による上板２０は、水槽３の幅方向全域、すなわち、側壁６ｂから側壁６ｃにわたって設けられてはいない。そして、仕切り板３０は、上板２０の対応する側縁から水槽３の底面に略垂直に延びており、上板２０の下方の空間（取水口７に向かう水の流路）を、その周囲の空間から仕切っている。このような構成により、水平管４に向かう水の流れの流路が、上板２０、仕切り板３０および水槽３の底面によって画定されている。このことにより、上板２０の側方から取水口７に向かう水の流路が形成されることを抑制し、取水口７から自由表面２までの距離が短くなることを抑制している。
【００３８】
このように本実施の形態によれば、水の流路の幅を画定する一対の仕切り板３０が水槽３内に設けられている。このことにより、吸込み渦８の発生を抑制しつつ、上板２０の幅を小さくすることができ、上板２０の設置を容易化させることができる。また、上板２０の幅を小さくした場合であっても、仕切り板３０を設けることにより、上板２０の側方から取水口７へ向かう水の流路が形成されることを抑制できる。このため、幅が広い水槽３であっても、取水口７の近傍での吸込み渦８の発生を効果的に抑制できる。
【００３９】
なお、上述した本実施の形態においては、上板２０が固定されている例について説明した。しかしながら、このことに限られることはなく、図９および図１０に示すように、上板２０が、図３および図４に示す第２の実施の形態と同様に昇降可能になっていてもよい。図９および図１０では、仕切り板３０は、昇降することなく水槽３内に固定されている例が示されている。また、図１１および図１２に示すように、上板２０が、図５および図６に示す第３の実施の形態と同様に回動可能になっていてもよい。図１１および図１２では、仕切り板３０は、回動することなく水槽３内に固定されている例が示されている。これらいずれの場合においても、取水口７の近傍での吸込み渦８の発生を効果的に抑制できる。
【００４０】
（第５の実施の形態）
次に、図１３および図１４を用いて、本発明の第５の実施の形態における水力機械設備について説明する。
【００４１】
図１３および図１４に示す第５の実施の形態においては、仕切り板が、上板とともに昇降可能に設けられており、昇降駆動部が、上板とともに仕切り板を昇降させて、上板および仕切り板の上下方向の位置を調整する点が主に異なり、他の構成は、図９および図１０に示す第４の実施の形態と略同一である。なお、図１３および図１４において、図９および図１０に示す第４の実施の形態と同一部分には同一符号を付して詳細な説明は省略する。
【００４２】
図１３および図１４に示すように、本実施の形態においては、仕切り板３０が、上板２０とともに昇降可能に設けられており、昇降駆動部１０は、上板２０および仕切り板３０を昇降させて、上板２０および仕切り板３０の上下方向の位置を調整している。この仕切り板３０は、上板２０に取り付けられており、仕切り板３０は、上板２０とともに、昇降駆動部１０によって昇降される。なお、仕切り板３０の上昇位置は任意であり、仕切り板３０が自由表面２より上方に上げられていてもよい。
【００４３】
このように本実施の形態によれば、昇降駆動部１０により、上板２０および仕切り板３０の上下方向の位置を調整することができる。このことにより、自由表面２が所定の位置よりも低い場合、上板２０および仕切り板３０を自由表面２よりも下降させ、上板２０および仕切り板３０を水に浸漬させることができる。このため、自由表面２と取水口７とを遠ざけることができ、吸込み渦８の発生を抑制できる。また、水の流路の幅を画定する一対の仕切り板３０が水槽３内に設けられているため、吸込み渦８の発生を抑制しつつ、上板２０の幅を小さくすることができ、上板２０の設置を容易化させることができる。また、上板２０の幅を小さくした場合であっても、仕切り板３０を設けることにより、上板２０の側方から取水口７へ向かう水の流路が形成されることを抑制できる。このため、幅が広い水槽３であっても、取水口７の近傍での吸込み渦８の発生を効果的に抑制できる。一方、自由表面２が所定の位置よりも高いときには、自由表面２と、取水口７とが遠ざけられているため、吸込み渦８の発生の可能性は低い。このことにより、上板２０および仕切り板３０を自由表面２よりも上昇させて、水の流路を広くすることができる。このため、水の流路の縮小に伴う流速の増速を抑制することができ、流速の増速に伴う摩擦損失の増加を抑制できる。
【００４４】
以上述べた実施の形態によれば、吸込み渦の発生を抑制するとともに、発生した吸込み渦の発達を抑制できる。
【００４５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。また、当然のことながら、本発明の要旨の範囲内で、これらの実施の形態を、部分的に適宜組み合わせることも可能である。
【符号の説明】
【００４６】
１：水力機械設備、２：自由表面、３：水槽、４：水平管、５：水力機械、６ａ：側壁、７：取水口、１０：昇降駆動部、１２：水位検知装置、２０：上板、３０：仕切り板
【図１】
0006715047.tif 000002
【図２】
0006715047.tif 000003
【図３】
0006715047.tif 000004
【図４】
0006715047.tif 000005
【図５】
0006715047.tif 000006
【図６】
0006715047.tif 000007
【図７】
0006715047.tif 000008
【図８】
0006715047.tif 000009
【図９】
0006715047.tif 000010
【図１０】
0006715047.tif 000011
【図１１】
0006715047.tif 000012
【図１２】
0006715047.tif 000013
【図１３】
0006715047.tif 000014
【図１４】
0006715047.tif 000015
【図１５】
0006715047.tif 000016